(57)【要約】【課題】大型化しても軽量であるエキスパンションジョイントを提供する。【解決手段】本発明のエキスパンションジョイント１は、躯体間隙１３をカバー材２で被覆するエキスパンションジョイント１において、カバー材２を、略矩形状のハニカムコア３と、その周縁に設けた枠材４とを備えた構成としたことを特徴とする。  このようにカバー材２をハニカムコア３で形成することにより、大型化しても軽量なエキスパンションジョイント１となる。【選択図】図２
2009013728.tif 000002
【特許請求の範囲】
【請求項１】
躯体間隙をカバー材で被覆するエキスパンションジョイントにおいて、カバー材を、略矩形状のハニカムコアと、その周縁に設けた枠材とを備えた構成としたことを特徴とするエキスパンションジョイント。
【請求項２】
上記枠材は、表面の内方側を段状に凹ませ、少なくとも表面材が納まる表面材納まり部を設けてある請求項１に記載のエキスパンションジョイント。
【請求項３】
上記枠材は、裏面の内方側を段状に凹ませ、裏面材が納まる裏面材納まり部を設けてある請求項１又は２に記載のエキスパンションジョイント。
【発明の詳細な説明】
【技術分野】
【０００１】
本発明は、躯体間隙を被覆し、躯体間の変動のズレを吸収することができるエキスパンションジョイントに関する。
【背景技術】
【０００２】
従来のエキスパンションジョイントとしては、躯体間隙を被覆するカバー材の一端側を一方の躯体に載せ、他端側を少なくとも躯体間隙奥行き方向に可動に他方の躯体に連結し、傾斜面部を有する支持部材を、カバー材の裏面に備えたものがあり、これは、例えば、支持部材が一方の躯体に乗り上げたり、カバー材の先端が躯体上を摺動したりして躯体間の変動を吸収することができるものである（下記特許文献１参照）。
【０００３】
【特許文献１】特開２００３−１２９５７６号公報
【発明の開示】
【発明が解決しようとする課題】
【０００４】
上記のようなエキスパンションジョイントは、大きな変動量を吸収するためには、躯体間隙幅を広くする必要があり、それに合わせて、カバー材も大型化しなければならない。大型化したカバー材は重くなるため、運搬がし難く、施工時の安全性などに問題が生じていた。
【０００５】
そこで、本発明の目的は、大型化しても軽量であるエキスパンションジョイントを提供することにある。
【課題を解決するための手段】
【０００６】
本発明のエキスパンションジョイントは、躯体間隙をカバー材で被覆するエキスパンションジョイントにおいて、カバー材を、略矩形状のハニカムコアと、その周縁に設けた枠体とを備えた構成としたことを特徴とする。
【０００７】
本発明は、ハニカムコアをカバー材として用いているので、大型化しても軽量であり、運搬がし易く、施工も安全に行なうことができる。
【０００８】
上記エキスパンションジョイントは、上記枠材の表面の内方側を段状に凹ませ、少なくとも表面材が納まる表面材納まり部を設けてある構成とすることができる。
【０００９】
このような構成とすることにより、表面材のみ又は表面材及び仕上材を表面材納まり部に納めれば、カバー材の表面を形成することができ、表面材、仕上材の取り付けが容易になる。また、表面材納まり部の深さは、表面材の厚さ又は表面材及び仕上材の合計厚さと略同じに形成しておけば、カバー材の表面に段差がなくなり、平滑な表面にすることができる。
【００１０】
上記エキスパンションジョイントは、上記枠材の裏面の内方側を段状に凹ませて、裏面材が納まる裏面材納まり部を設けてある構成とすることができる。
【００１１】
このような構成とすることにより、裏面材を裏面材納まり部に納めれば、カバー材の裏面を形成することができ、裏面材の取り付けが容易になる。また、裏面材納まり部の深さと裏面材の厚さとを略同じに形成しておけば、カバー材の裏面に段差がなくなり、平滑な裏面にすることができる。
【発明を実施するための最良の形態】
【００１２】
以下、本発明のエキスパンションジョイントの一実施形態を、図面を用いて説明する。
図１は本発明の一実施形態のエキスパンションジョイントの側断面図、図２は図１のエキスパンションジョイントのカバー材の先端部及び後端部の拡大側断面図、図３は、図１に示したエキスパンションジョイントのカバー材を示した図、図４，５は、図１に示したエキスパンションジョイントの枠材を示した図である。
【００１３】
本発明の一実施形態のエキスパンションジョイント１は、カバー材２を、ハニカムコア３を用いて作成したことを特徴とする。
【００１４】
エキスパンションジョイント１は、図１又は２に示すように、両躯体１１，１２間の間隙１３をカバー材２で被覆し、先端側を、躯体１１の縁部を凹ませた収納部１４に納め、後端側を、連結部５で躯体１２と躯体間隙長手方向を回転軸として回転可能に連結してあり、両躯体１１，１２が躯体間隙幅方向に近づく変動をした場合は、先端側が収納部１４の端面１５上を乗り上げて変動を吸収し、両躯体１１，１２が躯体間隙幅方向に離れる変動をした場合は、先端側が収納部１４上を摺動して変動を吸収し、両躯体１１，１２が躯体間隙長手方向にずれる変動をした場合は、先端側が収納部１４上を摺動して変動を吸収し、両躯体１１，１２が躯体間隙奥行方向にずれる変動をした場合は、連結部５により回転して変動を吸収できるようにしたものである。
【００１５】
カバー材２は、図１〜３に示すように、ハニカムコア３と、枠材４と、連結部５と、ハニカムコア３の表面側を覆う略矩形板状の表面材６と、ハニカムコア３の裏面側を覆う略矩形板状の裏面材７と、表面材６上を被覆する略矩形状の仕上材９とを主な構成として備えてなる。
【００１６】
ハニカムコア３は、ハニカム構造の略矩形板状に形成してあり、特に限定するものではないが、アルミ、アルミ合金、ステンレス鋼などで形成することができる。ハニカムコア３は、市販のものを用いることができ、人などが乗っても変形しない強度を有していることが好ましい。
【００１７】
枠材４は、図４に示すように、ハニカムコア３の周囲を囲むように中空棒材で略矩形状に形成してあり、先端側部材４１と、後端側部材４２と、側端側部材４３とで形成してある。先端側部材４１は、図５（Ａ）に示すように、裏面側を、先端側が窄まる傾斜面４４として形成してある。先端側部材４１の表面の外側部分は、内側よりも上方に一段高く形成してあり、また、図５（Ｃ）に示すように、側端側部材４３の表面の外縁部分は、上方に突出させて形成してある。つまり、枠材４の表面の内方側は、段状に凹ませてあり、ここを、表面材６及び仕上材９を略隙間なく納めることができる表面材納まり部４５としてある。
また、図５（Ａ）に示すように、先端側部材４１の裏面の外側部分は、内側部分よりも下方に一段高く形成してあり、また、図５（Ｃ）に示すように、側端側部材４３の裏面の外縁部分は、下方に突出させて形成してある。つまり、枠材４の裏面の内方側は、段状に凹ませてあり、ここを、裏面材７を略隙間なく納めることのできる裏面材納まり部４６としてある。
表面材納まり部４５の深さは、表面材６及び仕上材９の合計厚さと略同じにしてあり、また、裏面材納まり部４６の深さは、裏面材７の厚さと略同じにしてあり、カバー材２の表面及び裏面が平坦面となるように形成してある。
また、表面材納まり部４５及び裏面材納まり部４６内には、周方向に長尺状のゴム材などが納まる溝部４７が形成してあり、内部に水などが浸入しないように止水してある。
【００１８】
連結部５は、カバー材２と躯体１２とを、躯体間隙長手方向を回転軸として回転可能に連結するものであり、カバー材２の後端側に固定する断面略Ｌ字状の取付部５１と、取付部５１の角部から下方に断面円形状に膨出させた膨出部５２とを備えてなるものであり、躯体１２に固定してある連結受け部８の溝部８１に、膨出部５２を回転可能に嵌め入れてある。
また、取付部５１の上端は、カバー材２に取付けた状態で、仕上材９と同じ高さに形成してあり、カバー材２の表面が平坦面となるようにしてある。
【００１９】
表面材６及び裏面材７は、特に限定するものではないが、アルミ、アルミ合金、ステンレス鋼などで形成することができ、仕上材９は、特に限定するものではないが、塩化ビニルシートなどの合成樹脂で形成することができる。
【００２０】
このように形成してあるカバー材２は、ハニカムコアを用いて形成してあるため、カバー材が大型になったとしても軽量なものである。このため、運搬がし易く、施工も安全に行なうことができる。
【００２１】
上記実施形態の構成態様は、本発明を限定するものとして挙げたものではなく、技術目的を共通にするかぎり変更は可能であり、本発明はそのような変更を含むものである。
【図面の簡単な説明】
【００２２】
【図１】本発明の一実施形態のエキスパンションジョイントの側断面図である。
【図２】図１のエキスパンションジョイントのカバー材の先端部及び後端部の拡大側断面図である。
【図３】図１に示したエキスパンションジョイントのカバー材を示し、（Ａ）は平面図、（Ｂ）は側面図、（Ｃ）は正面図、（Ｄ）は背面図、（Ｅ）は裏面図である。
【図４】図１に示したエキスパンションジョイントの枠材を示した平面図である。
【図５】図４に示した枠材の端面図を示し、（Ａ）はＡ−Ａ端面図、（Ｂ）はＢ−Ｂ端面図、（Ｃ）はＣ−Ｃ端面図である。
【符号の説明】
【００２３】
１エキスパンションジョイント  １１，１２躯体  １３間隙  １４収納部  １５端面  ２カバー材  ３ハニカムコア  ４枠材  ４１先端側部材  ４２後端側部材  ４３側端側部材  ４４傾斜面  ４５表面材納まり部  ４６裏面材納まり部  ４７溝部  ５連結部  ５１取付部  ５２膨出部  ６表面材  ７裏面材  ８連結受け部  ８１溝部  ９仕上材
【図１】
2009013728.tif 000003
【図２】
2009013728.tif 000004
【図３】
2009013728.tif 000005
【図４】
2009013728.tif 000006
【図５】
2009013728.tif 000007